(57)【要約】【課題】    製品寸法の異なる被梱包物に対応可能で、且つ、輸送中の疵や変形を発生させない梱包用シートを提供する。【解決手段】    被梱包物Ａの外周に巻き付ける側面カバー２と、被梱包物Ａの長手方向端面を包み込む端面カバー３、３と、被梱包物Ａの長手方向中間部を側面カバー２に固定する中間部固定部材４とを備え、端面カバー３は側面カバー２の内面の任意の位置に面ファスナー５ｂで着脱自在に固定してあり、中間部固定部材４は側面カバー２の内面の任意の位置に面ファスナー５ｄで着脱自在に固定してあり、側面カバー２は巻き始め部２１の外面と巻き終り部２２の内面とを重合して面ファスナー５ａで着脱自在に固定してある。【選択図】        図１
2005047529.tif 000002
【特許請求の範囲】
【請求項１】
被梱包物の外周に巻き付ける側面カバーと、被梱包物の長手方向端面を包み込む端面カバーと、被梱包物の長手方向中間部に巻き付けて被梱包物を側面カバーに固定する中間部固定部材とを備え、端面カバーは側面カバー内面の長手方向の任意の位置に面ファスナーで着脱自在に固定してあり、中間部固定部材は側面カバー内面の長手方向の任意の位置に面ファスナーで着脱自在に固定してあり、側面カバーは巻き始め側の外面と巻き終り側の内面とを重合して巻き付け終端側を面ファスナーで着脱自在に固定してあることを特徴とする梱包用シート。
【発明の詳細な説明】
【技術分野】
【０００１】
本発明は、例えばノックダウン用の建材製品などを梱包するのに好適な梱包用シートに関するものである。
【背景技術】
【０００２】
従来、ノックダウン用のアルミサッシなどのような建材製品等を構成する長尺部材のキットを製品単位で梱包する方法としては所定のサイズに裁断したダンボールケースを箱型に組み立て、その中に一次結束した製品を収納して梱包する方法が一般的である。また、より簡易な梱包を可能とする梱包用シートとして例えば、特許文献１では新聞、雑誌、書籍、パンフレット、カタログ、等の積み重ねた印刷物を運搬するのに好適なように軽金属、プラスチック、硬質ゴム、木、厚紙などで収納面を折り曲げ可能に形成し、或いはこれらで補強して、梱包時に接着ファスナー（面ファスナー）を使用して固定するようにした包装要素が開示されている。また、特許文献２では抽斗包装用カバーとして抽斗を簀巻状にシート材で覆い、重合部を面ファスナーで結合するとともにシート材の張り出し部で抽斗の四隅の角を保護するようにした抽斗包装用カバーが開示されている。  また、特許文献３のように箱状容器を梱包するのに面ファスナーを使用するとともに両側端を梱包する部分の立上り部に切り込みを入れて箱状容器の形状にきっちりと合せることができるようにした引越し用包装材も開示されている。
【０００３】
【特許文献１】特表平７−５０４３８８号公報
【特許文献２】特開平９−２４９６７号公報
【特許文献３】特開平８−１１９３５５号公報
【発明の開示】
【発明が解決しようとする課題】
【０００４】
ところが、上記した従来の一般的な梱包方法では製品のサイズごとに数多くの寸法のダンボールケースを用意する必要があるので、ダンボールケースの管理上においても煩雑な管理が必要であり、コスト的にも高くつく、また、寸法違いのダンボールケースを使用すると輸送中にがたついて製品に疵や変形が発生し易いという問題があった。また、上記した特許文献に開示されている梱包用シートでは、例えば特許文献１の包装要素では定形の新聞、雑誌、等の梱包には適しているがサイズの異なる被梱包物には自在に対応できないという問題があり、特許文献２の抽斗包装用カバーでも多様なサイズの被梱包物には適していない、また、特許文献３の引越し用包装材でも同様に長尺、かつ多様なサイズの被梱包物の梱包に適したものではなく、これらの問題を解決することが従来の課題となっていた。
【課題を解決するための手段】
【０００５】
本発明の請求項１に係わる梱包用シートは、被梱包物の外周に巻き付ける側面カバーと、被梱包物の長手方向端面を包み込む端面カバーと、被梱包物の長手方向中間部に巻き付けて被梱包物を側面カバーに固定する中間部固定部材とを備え、端面カバーは側面カバー内面の長手方向の任意の位置に面ファスナーで着脱自在に固定してあり、中間部固定部材は側面カバー内面の長手方向の任意の位置に面ファスナーで着脱自在に固定してあり、側面カバーは巻き始め側の外面と巻き終り側の内面とを重合して巻き付け終端側を面ファスナーで着脱自在に固定してある構成を前述した従来の課題を解決するための手段としている。
【発明の効果】
【０００６】
本発明の請求項１に係わる梱包用シートにおいて、側面カバーは被梱包物の外周に巻き付けて、巻き始め側の外面と巻き終り側の内面とを重合して巻き付け終端側を面ファスナーで着脱自在に固定するものであり、端面カバーは被梱包物の長手方向端面を包み込んで、側面カバー内面の長手方向の任意の位置に面ファスナーで着脱自在としてあるので被梱包物の寸法に応じて任意に位置決めが可能としてあることとなるから、梱包作業が容易であると共に製品寸法の異なる被梱包物に適宜対応してきっちりと梱包することが可能であり、さらに、中間部固定部材は側面カバー内面の長手方向の任意の位置に面ファスナーで着脱自在としてあるから被梱包物が梱包内でがたつくことが無く、そして周囲を側面カバーで巻き付けて保護しているので、疵や変形を防止できるという効果が得られるものである。
【発明を実施するための最良の形態】
【０００７】
以下、本発明を図面に基づいて説明する。図１及び図２は本発明に係わる梱包用シートの第一実施形態を示している。図３は本発明に係わる梱包用シートの第二実施形態を示している。
【０００８】
先ず始めに本発明の第一実施形態の梱包用シート１について以下に詳述する。図１及び図２に示すように、本発明の第一実施形態の梱包用シート１はいずれもプラスチック段ボールで形成した１枚の側面カバー２と、２枚の端面カバー３、３と、１枚の中間部固定部材４とで構成してあり、被梱包物Ａは簡便のために外形を二点鎖線で直方体として表示したが、予め扱い易いように予備結束した建材製品用の複数本の長尺或いは短尺部材の集合体である。
【０００９】
側面カバー２は想定される被梱包物Ａの最大長さ寸法Ｌｍａｘに合わせた長手方向の長さ寸法を有し、横方向は梱包完了したときに底面となる底面部２３と、両側面となる側面部２４、２４と、上面で互いに重合する巻き始め部２１と巻き終り部２２とに折り曲げ可能に設けてあり、被梱包物Ａの周囲に巻き付けて被梱包物Ａを保護するものである。端面カバー３は略Ｕ字状をなし、略Ｕ字の両側面部３１、３２及び底面部３３が被梱包物Ａの長手方向両側端面を包み込んで保護すると共に、底面部３３が被梱包物Ａの長手方向の移動を規制するものである。中間部固定部材４は端面カバー３、３の略中間位置に配置して被梱包物Ａの側周に巻き付け、巻き付け始端部４１と巻き付け終端部４２とが重合して被梱包物Ａを包み込むと共に、底面部４３を側面カバー２に固定することによって被梱包物Ａの長手方向中間部を着脱自在に固定しているものである。
【００１０】
側面カバー２の底面部２３の内面側は長手方向の両側端部に長手方向に長く面ファスナー５ｂが取り付けてあり、端面カバー３の下面となる略Ｕ字状の一側面３１にも図には現われないが面ファスナー５ｂが取り付けてあって、端面カバー３、３の略Ｕ字の開口面を対向させ、被梱包物Ａの長手方向寸法に合わせて端面カバー３、３の略Ｕ字の底面部３３、３３の間隔を設定自在に、即ち、端面カバー３、３の長手方向の固定位置調整を自在に側面カバー２の面ファスナー５ｂと端面カバー３の下面となる略Ｕ字状の一側面３１に取り付けた面ファスナー５ｂとを着脱自在に固定できるようにしてある。側面カバー２の底面部２３の内面側は長手方向の中間部に長手方向に長く面ファスナー５ｄが取り付けてあり、中間部固定部材４の底面４３にも図には現われないが面ファスナー５ｄが取り付けてあって、端面カバー３、３の取り付け位置の略中間位置に合わせて中間部固定部材４の長手方向の固定位置調整を自在に側面カバー２の面ファスナー５ｄと中間部固定部材４の面ファスナー５ｄとを着脱自在に固定できるようにしてある。中間部固定部材４の巻き付け始端部４１の外面側には面ファスナー５ｅが固定してあり、中間部固定部材４の巻き付け終端部４２の内面側にも面ファスナー５ｅが固定してあり、被梱包物Ａの側周を巻き付けて巻き付け始端部４１と巻き付け終端部４２とを重合して被梱包物Ａを包み込むとともに、巻き付け始端部４１の外面側の面ファスナー５ｅと巻き付け終端部４２の内面側の面ファスナー５ｅとが着脱自在に固定できるようにしてある。
【００１１】
側面カバー２の巻き始め部２１の内面側の長手方向の両側端部には長手方向に長く面ファスナー５ｃが固定してあり、端面カバー３の略Ｕ字状の他側面３２、即ち梱包時の上面側となる外側面には面ファスナー５ｃが固定してあり、側面カバー２の巻き始め部２１に固定した面ファスナー５ｃと端面カバー３の略Ｕ字状の上面の外面側に固定した面ファスナー５ｃとは互いに任意の位置で着脱自在に固定できるようにしてある。また、側面カバー２の巻き始め部２１の外面側には長手方向の両側端部及び中間部に面ファスナー５ａが固定してあり、側面カバー２の巻き終り部２２の巻き付け終端側の内面側長手方向の両側端部及び中間部には巻き始め部２１の外面側に固定した面ファスナー５ａに対応する位置に面ファスナー５ａが固定してあり、被梱包物Ａに側面カバー２を巻き付けたときに側面カバー２の巻き始め部２１の外面側に固定した面ファスナー５ａ、５ａ、５ａと側面カバー２の巻き終り部２２の内面側に固定した面ファスナー５ａ、５ａ、５ａとが互いに着脱自在に固定できるようにしてある。
【００１２】
以上、本発明の第一実施形態の梱包用シート１の構成について詳述したが、以下にこの梱包用シート１を用いた梱包手順について詳述する。図１に示すように先ず、側面カバー２を展開した状態で敷き、被梱包物Ａの両端面を包み込むための端面カバー３、３のセット位置を端面カバー３、３の略Ｕ字の底面部３３、３３間の間隔が被梱包物Ａの長さに合うように位置決めし、端面カバー３、３の下面となる略Ｕ字状の一側面３１に固定した面ファスナー５ｂを側面カバー２の底面部２３に固定した面ファスナー５ｂに貼り合わせて端面カバー３を側面カバー２の底面部２３上にセットする。次に、上記の如くセットした両側の端面カバー３、３の略中間部に中間部固定部材４の位置を決めて、中間部固定部材４の底面部４３の下面に固定した面ファスナー５ｄを側面カバー２の底面部２３に固定した面ファスナー５ｄに貼り合わせて中間部固定部材４を側面カバー２の底面部２３上にセットする。次いで上記の通り側面カバー２にセットした端面カバー３、３及び中間部固定部材４を展開した状態で、梱包したときに被梱包物Ａの荷重を受ける部位であるこれらの底部３１、３１及び４３上にポリウレタン製の緩衝材６、６、６を載置して両面接着剤で固定し、この上に被梱包物Ａを載置する。端面カバー３、３は略Ｕ字の一側面３１を上記した通り側面カバー２の底面部２３に固定してあり、略Ｕ字の底面部３３を被梱包物Ａの端面に当接させるとともに、被梱包物Ａの端面上部を包み込むように略Ｕ字の他側面３２を被せておく。中間部固定部材４は底面部４３を上記した通り側面カバー２の底面部２３に固定してあり、両側面部４４、４４及び始端部４１、終端部４２を被梱包物Ａの側面から上面へと巻き付けて、始端部４１の外面側に固定した面ファスナー５ｅと終端部４２の内面側に固定した面ファスナー５ｅとを重合して貼り合わせることによって、被梱包物Ａを包み込んで固定する。以上の状態によって被梱包物Ａは側面カバー２の底面部２３に固定されていることとなり、次に、側面カバー２の一側面部２４及び巻き始め部２１を上記の通り固定した被梱包物Ａに巻き付けて、巻き始め部２１の内面側に固定した面ファスナー５ｃ、５ｃを端面カバー３、３の略Ｕ字の他側面３２に固定した面ファスナー５ｃ、５ｃに重合して貼り合わせ固定し、そして、側面カバー２の他側面部２４及び巻き終り部２２を上記の通り固定した被梱包物Ａに巻き付けて、巻き終り部２２の内面側に固定した面ファスナー５ａ、５ａ、５ａを巻き始め部２１の外面側に固定した面ファスナー５ａ、５ａ、５ａに重合して貼り合わせ固定する。
【００１３】
本発明の第一実施形態の梱包用シート１は以上の通りの簡単な手順によって被梱包物Ａの梱包を完了するものであるから、被梱包物Ａの寸法に応じて任意に位置決めが可能となっており、製品寸法の異なる被梱包物Ａに適宜対応してきっちりと梱包することが可能であるという大きな効果が得られ、さらに、中間部固定部材４は側面カバー２の内面の任意の位置に面ファスナー５ｄで着脱自在としてあり、且つ、周囲を側面カバー２で巻き付けて保護しているから梱包作業が容易にできると共に被梱包物Ａが梱包内でがたつくことが無く、疵や変形を防止できるという格別の効果が得られるものである。また、本発明の第一実施形態の梱包用シート１は上記した通り、粘着テープ類を一切使用していないから出荷先での開梱時にも手間がかからず、且つ、開梱後の梱包用シート１のテープ剥離による傷みも無くて済むので出荷先で開梱済みの各部材を束ねて帰り荷として出荷元に送り返すことによって再利用が可能になり、したがって梱包資材の削減が可能になるという効果をも有するものである。
【００１４】
次に図３に示した本発明の第二実施形態の梱包用シート１について以下に詳述する。第一実施形態と重複する説明は極力省略するが、図３に示すように、本発明の第二実施形態の梱包用シート１は側面カバー２としては簀巻可能なシート材を使用し、２枚の端面カバー３、３及び２枚の中間部固定部材４としては滑りにくいウレタンシートを使用して構成してある。
【００１５】
被梱包物Ａは長手方向の両側端面を端面カバー３、３で包み込むとともに、長手方向を略三分割する中間部に二枚の中間部固定部材４、４を巻き付けて配置し、この外周に側面カバー２を巻き付けて梱包してある。側面カバー２の底面部２３の内面側には長手方向の両側端部に長手方向に長く面ファスナー５ｂが取り付けてあり、端面カバー３の下側面３１となる位置にも面ファスナー５ｂが取り付けてあって、側面カバー２に取り付けた面ファスナー５ｂに端面カバー３に取り付けた面ファスナー５ｂを当接させて、被梱包物Ａの長さに合わせて側面カバー２の底面部２３の長手方向の任意の位置に端面カバー３を固定できるようになっており、また、側面カバー２の底面部２３の内面側の長手方向中間部には長手方向に長く面ファスナー５ｄが取り付けてあり、中間部固定部材４の下側面４３となる位置にも面ファスナー５ｄが取り付けてあって、側面カバー２に取り付けた面ファスナー５ｄに中間部固定部材４に取り付けた面ファスナー５ｄを当接させて、側面カバー２の底面部２３の長手方向の任意の中間位置に中間部固定部材４を固定できるようになっている。また、また、側面カバー２の巻き始め部２１の外面側には長手方向の両側端部及び中間部に面ファスナー５ａが固定してあり、側面カバー２の巻き終り部２２の巻き付け終端側の内面側長手方向の両側端部及び中間部には巻き始め部２１の外面側に固定した面ファスナー５ａに対応する位置に面ファスナー５ａが固定してあり、被梱包物Ａに側面カバー２を巻き付けたときに側面カバー２の巻き始め部２１の外面側に固定した面ファスナー５ａ、５ａ、５ａと側面カバー２の巻き終り部２２の内面側に固定した面ファスナー５ａ、５ａ、５ａとが互いに着脱自在に固定できるようにしてある。
【００１６】
第二実施形態の梱包用シート１は上記したように側面カバー２に端面カバー３、３及び中間部固定部材４、４を配置したものであり、この上に被梱包物Ａを載置し、端面カバー３、３の端面部３３、３３となる部分で被梱包物Ａの両側端面を包み込むとともに端面カバー３、３の上面部となる部分で被梱包物Ａの両側端の上面を包み込み、そして、中間部固定部材４、４の巻き付け始端部４１、４１側を被梱包物Ａの外周に巻き付けるとともに、反対側の巻き付け終端部４２、４２側も被梱包物Ａの外周に巻き付けて、巻き付け始端部４１の上に巻きつけ終端縁４２を重ね合わせ、この状態を維持しつつ、被梱包物Ａの上面側に側面カバー２の巻き始め部２１側を重ね合わせるように側面カバー２を被梱包物Ａに巻き付け、反対側の巻き終り部２２側も被梱包物Ａに巻き付けて、被梱包物Ａの上面で側面カバー２の巻き始め部２１の上側に巻き終り部２２を重ね合わせて巻き始め部２１に取り付けた面ファスナー５ａと巻き終り部２２に取り付けた面ファスナー５ａとを重合して巻き始め部２１と巻き終り部２２とを巻き付け終端側で固定することによって梱包を完了するものである。
【００１７】
上記のようにして梱包した第二実施形態の梱包用シート１は第一実施形態の場合と比較すると、第一実施形態において説明した効果に加えて、端面カバー３の上面と側面カバー２の巻き始め部２１とを固定する面ファスナー５ｃが無く、また、中間部固定部材４の巻き付け始端部４１と巻き付け終端部４２とを固定する面ファスナー５ｅが無くなっているが、第二実施形態の場合は端面カバー３及び中間部固定部材４の材料としてウレタンシートを使用しているので、ウレタンシート自体の有する表面の摩擦性によって重合部は滑らず固定されるものであり、さらに、側面カバー２として簀巻可能なシート材を使用しているので、側面カバー２の巻き始め部２１から巻き終り部２２にかけて被梱包物Ａ及び端面カバー３、３、中間部固定部材４、４を密着して巻き付けることができるので、端面カバー３、３及び中間部固定部材４、４のウレタンシートの表面の摩擦性と合わせて製品と一体となった梱包が可能となるものである。
【００１８】
以上、本発明の第一実施形態及び第二実施形態について説明してきたが、本発明は上述した実施の形態に限らず、本発明の趣旨を逸脱しない範囲で種々の変更が可能である。例えば、側面カバーの巻き始め側の外面と巻き終り側の内面とを面ファスナーで着脱自在に固定する面ファスナーの取り付け位置及び箇所数は上記した実施例に限定されるものではない。被梱包物の両端面を包み込む端面カバーの一方は側面カバー内面の所定位置に面ファスナーで固定したものであっても良く、例えば一方を側面カバーの端面に面一に固定しておくほうが製品ラベルの貼り付けや読み取り時にはより一層好都合である。中間部固定部材を側面カバー内面の任意の位置に固定する面ファスナーの取り付け位置や箇所数も上記した実施例に限定されるものではない。端面カバーの材質は上記した第一実施形態のようなプラスチック段ボールやウレタンシートに限定されるものではなく、例えば、アルミ曲げ板、その他のプラスチック材料、或いは紙ダンボールなども使用できる。側面カバー及び中間部固定部材の材質も上記した実施例に限定されるものではない。梱包用シートを構成する各部材は被梱包物の形状に対応して予め折り目を付けて梱包をより容易にすることも可能であり、また、予め折り目を付けずに被梱包物の形状寸法に自在に適応できるようにしてあっても良い。端面カバーの形態は被梱包物の端部の上下面のみを包み込む略Ｕ字状のものに限られるものでなく、端部の上下前後面を包み込むボックス状のものであっても良い。
【図面の簡単な説明】
【００１９】
【図１】第一実施形態の梱包用シートの被梱包物の梱包直前の状態を示す説明図である。
【図２】第一実施形態の梱包用シートの梱包状態を示す断面説明図であり、（ａ）は中間部固定部材の部分での縦断面図、（ｂ）は全体の長手方向縦断面図である。
【図３】第二実施形態の梱包用シートの梱包状態を示す断面説明図であり、（ａ）は中間部固定部材の部分での縦断面図、（ｂ）は全体の長手方向縦断面図である。
【符号の説明】
【００２０】
１      梱包用シート
２      側面カバー
２１    巻き始め部
２２    巻き終り部
３      端面カバー
４      中間部固定部材
５ａ、５ｂ、５ｃ、５ｄ、５ｅ  面ファスナー
Ａ      被梱包物
【図１】
2005047529.tif 000003
【図２】
2005047529.tif 000004
【図３】
2005047529.tif 000005